(57)【要約】【課題】処理能力の低下を抑制しながら、画像品質を可及的に向上させる。【解決手段】シート状の画像形成対象部材ＩＭの搬送経路における画像形成位置に対して画像を形成動作する画像形成ヘッドと、前記画像形成位置の搬送方向上流側及び下流側に配置されて画像形成動作中の前記画像形成対象部材を搬送駆動する搬送ローラ４１，４２と、前記搬送ローラを回転駆動する搬送用回転駆動手段とが設けられ、前記搬送ローラ４１，４２のうちの前記画像形成位置よりも搬送方向下流側に位置する下流側搬送ローラ４２が、前記搬送用回転駆動手段にて回転駆動される駆動ローラ４２ａとその駆動ローラへ圧着操作される遊転式の圧着ローラ４２ｂとにより構成される画像形成装置において、圧着ローラ４２ｂの回転軸芯の移動軌跡が、画像形成対象部材ＩＭの移動方向成分を有する状態で圧着ローラ４２ｂを駆動ローラ４２ａへ圧着操作するように構成されている。【選択図】図１
2005162375.tif 000002
【特許請求の範囲】
【請求項１】
シート状の画像形成対象部材の搬送経路における画像形成位置に対してライン状の部分画像を繰り返し形成作用することによって前記画像形成対象部材上に画像を形成する画像形成ヘッドと、前記画像形成位置の搬送方向上流側及び下流側に配置されて前記画像形成ヘッドにて画像形成動作中の前記画像形成対象部材を搬送駆動する搬送ローラと、前記搬送ローラを回転駆動する搬送用回転駆動手段とが設けられ、
前記搬送ローラのうちの前記画像形成位置よりも搬送方向下流側に位置する下流側搬送ローラが、前記搬送用回転駆動手段にて回転駆動される駆動ローラとその駆動ローラへ圧着操作される遊転式の圧着ローラとにより構成されると共に、前記圧着ローラを前記駆動ローラに対して圧着する圧着状態とその圧着を解除する圧着解除状態とに切換える圧着操作機構と、その圧着操作機構を制御する搬送制御装置とが設けられた画像形成装置であって、
前記圧着操作機構は、前記圧着ローラの回転軸芯の移動軌跡が、前記画像形成対象部材の移動方向成分を有する状態で前記圧着ローラを前記駆動ローラへ圧着操作するように構成されている画像形成装置。
【請求項２】
前記圧着操作機構は、前記圧着状態にある前記圧着ローラの回転軸芯の位置よりも前記搬送経路から更に離間した位置に位置し且つ前記圧着ローラの回転軸芯と平行な回動軸芯周りに前記圧着ローラ全体を回動操作する圧着操作用回動駆動手段が設けられて構成され、前記圧着操作用回動駆動手段にて前記圧着ローラ全体を回動操作することによって、前記圧着状態と前記圧着解除状態とに切換え操作するように構成されている請求項１記載の画像形成装置。
【請求項３】
前記圧着操作機構は、前記圧着ローラに、前記画像形成対象部材を所定の搬送方向に搬送する回転方向にのみ回転を許容するワンウェイクラッチ機構が備えられて構成されている請求項２記載の画像形成装置。
【請求項４】
前記圧着操作機構は、前記圧着ローラの回転軸芯の移動軌跡を規制するガイドと、前記圧着ローラの回転軸芯を前記ガイドに沿って移動させる移動操作手段とを備えて構成され、
前記ガイドは、前記駆動ローラの回転方向に沿って前記圧着ローラの回転軸芯と前記駆動ローラとの間隔を小さくして行く弧状のガイド部分を有するように構成されている請求項１記載の画像形成装置。
【発明の詳細な説明】
【技術分野】
【０００１】
本発明は、シート状の画像形成対象部材の搬送経路における画像形成位置に対してライン状の部分画像を繰り返し形成作用することによって前記画像形成対象部材上に画像を形成する画像形成ヘッドと、前記画像形成位置の搬送方向上流側及び下流側に配置されて前記画像形成ヘッドにて画像形成動作中の前記画像形成対象部材を搬送駆動する搬送ローラと、前記搬送ローラを回転駆動する搬送用回転駆動手段とが設けられ、前記搬送ローラのうちの前記画像形成位置よりも搬送方向下流側に位置する下流側搬送ローラが、前記搬送用回転駆動手段にて回転駆動される駆動ローラとその駆動ローラへ圧着操作される遊転式の圧着ローラとにより構成されると共に、前記圧着ローラを前記駆動ローラに対して圧着する圧着状態とその圧着を解除する圧着解除状態とに切換える圧着操作機構と、その圧着操作機構を制御する搬送制御装置とが設けられた画像形成装置に関する。
【背景技術】
【０００２】
かかる画像形成装置は、画像形成ヘッドによるライン状の部分画像の形成と、搬送ローラによる前記画像形成対象部材の搬送駆動とを並行して実行することで、１つ完成した画像を前記画像形成対象部材上に形成する画像形成形式を有し、プリント装置の一部として用いられる装置である。
この画像形成装置においては、画像形成ヘッドによる画像形成位置において前記画像形成対象部材を搬送するための構成として、下記特許文献１にも記載のように、モータ等により回転駆動される駆動ローラと遊転式の圧着ローラとの対によって搬送ローラを構成し、その搬送ローラを、画像形成ヘッドによる画像形成位置を挟んでその両側に配置する構成とする場合が多い。
【０００３】
このような構成の搬送ローラによる前記画像形成対象部材の一般的な搬送動作の概要を、搬送ローラの配置を搬送横幅方向視で例示する図１５によって説明する。
上流側の搬送ローラ１００において駆動ローラ１００ａと圧着ローラ１００ｂとを圧着状態（実線で示す状態）として、シート状の画像形成対象部材ＩＭ（例えば「印画紙」）を画像形成位置（図１５中において矢印で示す）を経て搬送駆動し、駆動ローラ１０１ａと圧着ローラ１０１ｂとが離間して圧着解除状態（実線で示す状態）にある下流側の搬送ローラ１０１の位置を前記画像形成対象部材ＩＭの先端が通過すると、その下流側の搬送ローラ１０１を圧着状態（２点鎖線で示す状態）に切換えて、上流側及び下流側の搬送ローラ１００，１０１双方で前記画像形成対象部材ＩＭを搬送駆動する。
この後、前記画像形成対象部材ＩＭの後端が上流側の搬送ローラ１００の位置を通過する前に、上流側の駆動ローラ１００ａと圧着ローラ１００ｂとを離間させて圧着解除状態（２点鎖線で示す状態）に切換え、下流側の搬送ローラ１０１のみによって前記画像形成対象部材ＩＭを搬送駆動する。
尚、図１５では、搬送ローラ１００，１０１を圧着状態と圧着解除状態とに切換える圧着操作機構として、圧着ローラ１００ｂ，１０１ｂを回転軸芯１０２，１０３周りに揺動操作されるアーム１０４，１０５にて支持する機構を例示している。
【０００４】
上述のように搬送ローラを圧着状態と圧着解除状態とに切換え操作しているのは、主には、圧着状態にある下流側の搬送ローラに前記画像形成対象部材の先端が突入するのを回避するためであり、その突入による形成画像の画質劣化を防止している。
すなわち、前記画像形成対象部材の先端が圧着状態にある下流側の搬送ローラに突入すると、その突入の衝撃によって画像形成位置において画像形成途中にある前記画像形成対象部材が振動し、前記画像形成対象部材の形成画像の画質が劣化してしまうことから、前記画像形成対象部材の先端が通過した後に下流側の搬送ローラを圧着解除状態から圧着状態に切換えて、その振動を防止しているのである。
【特許文献１】特開２００１−２２００３号公報
【発明の開示】
【発明が解決しようとする課題】
【０００５】
しかしながら、上記従来構成では、前記画像形成対象部材の先端が圧着状態の搬送ローラに突入するのを回避することで大きな画質劣化は防止できるものの、下流側の圧着ローラを前記画像形成対象部材及び下流側の駆動ローラに対して押圧操作したときに、遊転式の圧着ローラの回転負荷が加わるための負荷変動によって前記画像形成対象部材に微振動が発生し、前記画像形成対象部材に形成される画像に搬送横幅方向に延びる濃度ムラが発生して、形成画像の画像品質を低下させてしまう場合がある。
このような濃度ムラは、圧着ローラの駆動ローラ側への圧着操作をゆっくりと行うことによって低減することが可能であるが、それ応じて前記画像形成対象部材の搬送速度を遅くする必要があり、画像形成処理能力を低下させてしまうことになる。
本発明は、かかる実情に鑑みてなされたものであって、その目的は、処理能力の低下を抑制しながら、画像品質を可及的に向上させる点にある。
【課題を解決するための手段】
【０００６】
本出願の第１の発明は、シート状の画像形成対象部材の搬送経路における画像形成位置に対してライン状の部分画像を繰り返し形成作用することによって前記画像形成対象部材上に画像を形成する画像形成ヘッドと、前記画像形成位置の搬送方向上流側及び下流側に配置されて前記画像形成ヘッドにて画像形成動作中の前記画像形成対象部材を搬送駆動する搬送ローラと、前記搬送ローラを回転駆動する搬送用回転駆動手段とが設けられ、前記搬送ローラのうちの前記画像形成位置よりも搬送方向下流側に位置する下流側搬送ローラが、前記搬送用回転駆動手段にて回転駆動される駆動ローラとその駆動ローラへ圧着操作される遊転式の圧着ローラとにより構成されると共に、前記圧着ローラを前記駆動ローラに対して圧着する圧着状態とその圧着を解除する圧着解除状態とに切換える圧着操作機構と、その圧着操作機構を制御する搬送制御装置とが設けられた画像形成装置において、前記圧着操作機構は、前記圧着ローラの回転軸芯の移動軌跡が、前記画像形成対象部材の移動方向成分を有する状態で前記圧着ローラを前記駆動ローラへ圧着操作するように構成されている。
【０００７】
すなわち、上流側の搬送ローラの駆動によって搬送されている前記画像形成対象部材が下流側搬送ローラの位置まで到達した後に、その下流側搬送ローラを圧着解除状態から圧着状態へ切換えて、圧着ローラが前記画像形成対象部材へ接触するときに、その圧着ローラは、前記画像形成対象部材の移動方向成分を有する状態で移動しながら前記画像形成対象部材へ接触して行く。
この圧着操作時における前記圧着ローラの移動速度を、前記画像形成対象部材の移動方向成分で、十分に前記画像形成対象部材の移動速度に近づけておくことで、圧着ローラと前記画像形成対象部材とが滑らかに接触し、滑らかに負荷変動させることになる。
これによって、下流側の搬送ローラの圧着状態への移行による前記画像形成対象部材の微振動を抑制することができる。
【０００８】
又、本出願の第２の発明は、上記第１の発明の構成に加えて、前記圧着操作機構は、前記圧着状態にある前記圧着ローラの回転軸芯の位置よりも前記搬送経路から更に離間した位置に位置し且つ前記圧着ローラの回転軸芯と平行な回動軸芯周りに前記圧着ローラ全体を回動操作する圧着操作用回動駆動手段が設けられて構成され、前記圧着操作用回動駆動手段にて前記圧着ローラ全体を回動操作することによって、前記圧着状態と前記圧着解除状態とに切換え操作するように構成されている。
すなわち、下流側の圧着ローラの回動軸芯の移動軌跡の設定を、単純な回動操作のみで実現することができる。
【０００９】
又、本出願の第３の発明は、上記第２の発明の構成に加えて、前記圧着操作機構は、前記圧着ローラに、前記画像形成対象部材を所定の搬送方向に搬送する回転方向にのみ回転を許容するワンウェイクラッチ機構が備えられて構成されている。
【００１０】
すなわち、下流側搬送ローラを構成する圧着ローラを遊転式に構成するについては、いずれの回転方向でも遊転する完全なフリーローラとして構成することも可能である。
しかしながら、圧着ローラを双方向に遊転式に構成したのでは、前記圧着操作機構が圧着ローラ全体を所定の軸芯周りに回動操作したときに、圧着ローラ自体はそれの慣性質量によって圧着ローラ自身の回転軸芯周りには回転せず、圧着ローラを圧着状態へ移行させる操作力が圧着ローラの回転表面にまで完全には伝わらない。
そこで、前記画像形成対象部材を所定の搬送方向に搬送する回転方向にのみ回転できるようにした一方向のみの遊転式に構成することで、下流側の圧着ローラを圧着操作したときに、圧着ローラの外周面の移動速度を前記画像形成対象部材の搬送速度と近い速度に効率良く設定することができる。
【００１１】
又、本出願の第４の発明は、上記第１の発明の構成に加えて、前記圧着操作機構は、前記圧着ローラの回転軸芯の移動軌跡を規制するガイドと、前記圧着ローラの回転軸芯を前記ガイドに沿って移動させる移動操作手段とを備えて構成され、前記ガイドは、前記駆動ローラの回転方向に沿って前記圧着ローラの回転軸芯と前記駆動ローラとの間隔を小さくして行く弧状のガイド部分を有するように構成されている。
従って、下流側搬送ローラが圧着解除状態から圧着状態へ移行するときは、圧着ローラが駆動ローラの周りを回って徐々に駆動ローラに接近して行き、下流側搬送ローラが圧着状態への移行を完了したときは、駆動ローラの位置で前記画像形成対象部材の進路が変化することになる。
【発明の効果】
【００１２】
上記第１の発明によれば、下流側圧着ローラを圧着操作するときに、圧着ローラと前記画像形成対象部材とが滑らかに接触することで、下流側搬送ローラの圧着状態への移行による前記画像形成対象部材の微振動を抑制することができる。
もって、処理能力の低下を抑制しながら、画像品質を可及的に向上できるに至った。
又、上記第２の発明によれば、圧着ローラ全体の単純な回動操作のみで圧着ローラと前記画像形成対象部材との滑らかな接触を実現することができ、圧着操作機構の装置構成の簡素化を図ることができる。
しかも、前記圧着状態及び前記圧着解除状態の夫々に対応する圧着ローラ全体の回動角度を適宜に設定変更することで、厚みが異なる複数種類の前記画像形成対象部材を用いる場合にも柔軟に対応することが可能となる。
【００１３】
又、上記第３の発明によれば、前記画像形成対象部材を所定の搬送方向に搬送する回転方向にのみ回転できるようにした一方向のみの遊転式に構成することで、圧着ローラを圧着操作したときに、圧着ローラの外周面の移動速度を前記画像形成対象部材の搬送速度と近い速度に効率良く設定することができので、下流側搬送ローラを圧着解除状態から圧着状態へ切換えるときに必要な操作力の増大を抑制して、圧着操作機構の構成の簡素化を図ることができる。
【００１４】
又、上記第４の発明によれば、下流側搬送ローラが圧着解除状態から圧着状態へ移行するときに、圧着ローラが駆動ローラの周りを回って徐々に駆動ローラに接近して行き、下流側搬送ローラが圧着状態への移行を完了したときは、駆動ローラの位置で前記画像形成対象部材の進路が変化することになるので、圧着ローラと前記画像形成対象部材とが滑らかに接触するのと同時に、下流側搬送ローラの位置で前記画像形成対象部材の搬送方向を変えることができる。
本発明の画像形成装置を搭載する写真処理機では、比較的小さな筐体内で前記画像形成対象部材の搬送方向が複雑に変化する場合が少なくなく、画像形成ヘッドで画像を形成した直後の位置で前記画像形成対象部材の搬送方向を変更できることは、装置設計上極めて有効となる。
【００１５】
更に、下流側搬送ローラを圧着解除状態から圧着状態へ移行するときに、圧着ローラが駆動ローラの周りを回る移動軌跡とすることで、圧着ローラの移動量をある程度長い移動量に設定して、より滑らかに前記画像形成対象部材と接触できるようにしながらも、前記画像形成位置の上流側の搬送ローラと下流側搬送ローラの駆動ローラとの設置間隔が長くなってしまうことはないので、前記画像形成対象部材をより安定した姿勢で搬送することができる。
【発明を実施するための最良の形態】
【００１６】
以下、本発明の画像形成装置を写真プリントシステムに備えた場合の実施の形態を図面に基づいて説明する。
＜第１実施形態＞
本第１実施形態で例示する写真プリントシステムＤＰは、シート状の写真感光材料ＰＳ（より具体的には印画紙２）を画像形成装置ＥＸによる前記画像形成対象部材ＩＭとしており、いわゆるデジタルミニラボ機として知られているものである。
写真プリントシステムＤＰは、図６のブロック図に示すように、現像処理済みの写真フィルムやメモリーカード，ＭＯあるいはＣＤ−Ｒ等から写真プリントを作製するための画像データを入力する画像入力装置ＩＲと、画像入力装置ＩＲにて入力した画像データを写真感光材料ＰＳとしての印画紙２に露光処理する露光・現像装置ＥＰとから構成されている。
【００１７】
〔画像入力装置ＩＲの概略構成〕
画像入力装置ＩＲには、図６に概略的に示すように、写真フィルムの駒画像を読み取るフィルムスキャナ３と、メモリーリーダ，ＭＯドライブ及びＣＤ−Ｒドライブ等を備えた外部入出力装置４と、汎用小型コンピュータシステムにて構成されてフィルムスキャナ３や外部入出力装置４の制御のほか写真プリントシステムＤＰ全体の管理を実行する主制御装置５とが備えられ、更に、主制御装置５には、仕上がりプリント画像をシミュレートしたシミュレート画像や各種の制御用の情報を表示するモニタ５ａと、露光条件の手動設定等や制御情報の入力操作をするための操作卓５ｂとが接続されている。
【００１８】
〔露光・現像装置ＥＰの全体構成〕
露光・現像装置ＥＰは、筐体内部に、画像形成装置ＥＸと、画像形成装置ＥＸにて露光形成された印画紙２を現像処理する現像処理装置ＰＰと、筐体内に配置された印画紙マガジン６から引き出された印画紙２を多数の搬送ローラ９等にて現像処理装置ＰＰへ搬送する印画紙搬送系ＰＴと、印画紙搬送系ＰＴを制御する搬送制御装置８とが設けられている。
図示を省略するが、露光・現像装置ＥＰの筐体外部には、現像処理装置ＰＰにて現像処理及び乾燥処理された印画紙２をオーダ毎に分類するためのソータが備えられ、現像処理装置ＰＰの排出口から排出された印画紙２をコンベア１０にてソータへ搬送する。
更に、印画紙搬送系ＰＴの搬送経路の途中には、印画紙マガジン６から引き出された長尺の印画紙２を設定プリントサイズに切断するカッタ１１と、印画紙２を複数の搬送列に振り分けるための振り分け装置１２が備えられている。
【００１９】
〔画像形成装置ＥＸの構成〕
画像形成装置ＥＸは、印画紙２上に露光画像を形成する画像形成ヘッド１３と、画像形成ヘッド１３を制御する露光制御装置１４とを主要部として構成されている。
画像形成ヘッド１３は、設定プリントサイズに切断された印画紙２の搬送経路の途中箇所を画像形成位置とするように取り付けられ、その画像形成位置において印画紙搬送方向と直交する方向でレーザビームを走査して印画紙２上に画像を露光形成する。
【００２０】
〔画像形成ヘッド１３の構成〕
画像形成ヘッド１３は、レーザを光源として印画紙２上に画像を露光するいわゆるレーザ露光式を採用しており、その概略構成を図５のブロック構成図に示す。
画像形成ヘッド１３には、赤色，緑色及び青色のレーザ光を夫々出射する赤色レーザ光源２０ｒ，緑色レーザ光源２０ｇ及び青色レーザ光源２０ｂと、緑色レーザ光源２０ｇ及び青色レーザ光源２０ｂの出射光を強度変調するための音響光学変調素子２１（以下、「ＡＯＭ素子２１」と略称する）と、各レーザ光源２０ｒ、２０ｇ、２０ｂから出射されるレーザビームＬＢのビーム径を調整するためのビームエキスパンダ２２と、シリンドリカルレンズ２３と、赤色，緑色及び青色の３本のレーザビームＬＢの光軸を１本の光軸にまとめるプリズム２４と、レーザビームＬＢを走査するためのポリゴンミラー２５と、ｆ−θ特性と面倒れ補正機能とを有する結像レンズ群２６とが備えられる他、レーザビームＬＢの光路を屈曲させるミラー２７やプリズム２４へ入射する光を規制するアパーチャ２８が配置されている。
【００２１】
〔露光制御装置１４の構成〕
露光制御装置１４には、図５に概略的に示すように、上記構成の画像形成ヘッド１３を制御するために、画像入力装置ＩＲから入力される画像データを画像形成ヘッド１３の露光特性を考慮した画像データに補正演算する画像処理回路３０と、画像処理回路３０にて求められた画像データを赤色，緑色及び青色の各色毎に記憶する画像データメモリ３１と、赤色，緑色及び青色の各色毎に備えられて画像データメモリ３１の出力データをＤ／Ａ変換するＤ／Ａコンバータ３２と、Ｄ／Ａコンバータ３２からの入力信号に応じた振幅を有する制御信号をＡＯＭ素子２１に出力するＡＯＭ制御回路３３と、各Ｄ／Ａコンバータ３２から送出する画像信号の送出タイミングを制御するタイミング制御回路３４とが備えられている。
【００２２】
〔画像形成装置ＥＸの露光動作〕
次に、上記構成の画像形成ヘッド１３及び露光制御装置１４の動作を説明する。
画像入力装置ＩＲから入力された露光用画像データは、画像処理回路３０によって補正演算されて、画像形成ヘッド１３によって露光されたときに良好なプリント画像が得られる画像データに変換され、画像データメモリ３１に順次書き込まれる。
画像データメモリ３１に一旦記憶されたデータは、各画素のデータ毎に、タイミング制御回路３４から入力されるクロック信号と同期して画素単位でＤ／Ａコンバータ３２に送られる。各Ｄ／Ａコンバータ３２の出力は、夫々対応する露光色のＡＯＭ制御回路３３に送られる。
【００２３】
ＡＯＭ制御回路３３は、入力信号に応じた振幅の制御信号をＡＯＭ素子２１に出力し、ＡＯＭ素子２１は入力制御信号の振幅に応じた回折率で各レーザ光源２０ｒ，２０ｇ，２０ｂから入射されるレーザ光を変調する。
ＡＯＭ素子２１にて変調された各レーザビームＬＢは、ビームエキスパンダ２２等を通過した後にプリズム２４に入射し、赤色，緑色及び青色の３本の光ビームＬＢが１本のレーザビームＬＢにまとめられ、ポリゴンミラー２５の反射面に照射される。
【００２４】
駆動モータ２５ａにて回転駆動されているポリゴンミラー２５の反射面で反射されたレーザビームＬＢは、ポリゴンミラー２５の回転軸芯と直交する面内で走査され、所定の搬送経路を搬送移動される印画紙２上に結像レンズ群２６によって集光される。レーザビームＬＢの走査方向は印画紙２の搬送方向と直交しており、レーザビームＬＢの走査方向が主走査方向、印画紙２の搬送方向が副走査方向となる。
このレーザビームＬＢの繰り返し走査によって、前記画像形成位置を通過する印画紙２に対してライン状の部分画像が繰り返し形成作用され、印画紙２上にプリントする画像が潜像として形成される。
【００２５】
〔画像形成位置での印画紙搬送系ＰＴの構成〕
画像形成ヘッド１３による画像形成位置で印画紙２を搬送するために、図６、及び、前記画像形成位置付近を搬送横幅方向視で概略的に示す図１乃至図３に示すように、前記画像形成位置の印画紙搬送方向上流側及び下流側に搬送ローラ４１，４２が印画紙搬送系ＰＴの一部として配置されている。尚、図１乃至図３においては、前記画像形成位置を、画像形成ヘッド１３から出射されるレーザビームＬＢによって模式的に示している。
この２つの搬送ローラ４１，４２について、便宜上、以下において、前記画像形成位置よりも印画紙搬送方向上流側に位置する搬送ローラ４１を「上流側搬送ローラ４１」、前記画像形成位置よりも印画紙搬送方向下流側に位置する搬送ローラ４２を「下流側搬送ローラ４２」と称する。
【００２６】
上流側搬送ローラ４１及び下流側搬送ローラ４２は、何れも、後述の搬送用回転駆動手段ＲＤにて回転駆動される駆動ローラ４１ａ，４２ａとその駆動ローラ４１ａ，４２ａへ圧着操作される遊転式の圧着ローラ４１ｂ，４２ｂとにより構成され、圧着ローラ４１ｂ，４２ｂを駆動ローラ４１ａ，４２ａに対して圧着する圧着状態とその圧着を解除する圧着解除状態とに切換えるために圧着操作機構ＲＭが設けられている。
下流側搬送ローラ４２についての圧着操作機構ＲＭは、搬送方向下流側から上流側を見た状態で部分切り欠き断面図として示す図４のように、圧着ローラ４２ｂを玉軸受け４４を介して回動自在に支持する支持軸４３と、その支持軸４３の両端を支持する一対の揺動アーム４５と、その揺動アーム４５の他端側に連結固定される駆動軸４６と、その駆動軸４６をカップリング４７を介して回動駆動する揺動操作用モータ４８とが備えられて構成されている。上流側搬送ローラ４１及び下流側搬送ローラ４２の付近には、印画紙２を搬送案内するための複数の搬送ガイド５７が配置されているが、図４では、図面を見易くするためにそれらの記載を省略している。
【００２７】
駆動軸４６は、それの回動軸芯４６ａが圧着ローラ４２ｂの回転軸芯４３ａと平行となるように、玉軸受け４９を介してフレーム５０に回動自在に取り付けられている。
揺動操作用モータ４８にて駆動軸４６を回動駆動することにより圧着ローラ４２ｂ全体が回動軸芯４６ａ周りに回動し、揺動操作用モータ４８は、圧着ローラ４２ｂ全体を回動操作する圧着操作用回動駆動手段ＲＲとして機能する。
尚、支持軸４３と圧着ローラ４２ｂの内面との間には、圧着ローラ４２ｂを、印画紙２を所定の搬送方向に搬送する回転方向（図１乃至図３における反時計回り方向）にのみ回転を許容するワンウェイクラッチ機構５１が介装されている。又、図１乃至図３では、駆動軸４６の回動軸芯４６ａ及び圧着ローラ４２ｂの回転軸芯４３ａの位置を示すために断面による図示を省略している。
【００２８】
駆動軸４６の回動軸芯４６ａは、圧着状態にある圧着ローラ４２ｂの回転軸芯４３ａの位置（図２で示す位置）よりも、印画紙２の搬送経路から更に離間した位置に位置しており、前記圧着操作用回動駆動手段ＲＲにて圧着ローラ４２ｂ全体を回動軸芯４６ａ周りに回動操作することで、圧着ローラ４２ｂを図１に示す圧着解除状態から図２に示す圧着状態に移行させるときには、圧着ローラ４２ｂの回転軸芯の移動軌跡が、印画紙２の移動方向成分（図１乃至図３における右向き方向成分）を有する状態で圧着ローラ４２ｂを駆動ローラ４２ａへ圧着操作することになる。
前記圧着状態及び前記圧着解除状態の夫々に対応する駆動軸４６の回動角度は、印画紙２の厚みに応じて設定されている。
【００２９】
フレーム５０には、玉軸受け５２を介して駆動ローラ４２ａの回転軸が回動自在に取り付けられると共に、駆動ローラ４２ａの回転軸を回転駆動して前記搬送用回転駆動手段ＲＤとして機能する搬送モータ５３が取り付けられている。搬送モータ５３の回転軸に取り付けられた駆動プーリ５４、駆動ローラ４２ａの回転軸に取り付けられた従動プーリ５５及び上流側の駆動ローラ４１ａの回転軸に取り付けられた従動プーリ（図示を省略）の間にはタイミングベルト５６が一連に巻回され、搬送モータ５３の駆動力にて上流側の駆動ローラ４１ａと下流側の駆動ローラ４２ａとが一体的に回転駆動される。
駆動ローラ４２ａの回転軸芯は圧着ローラ４２ｂの回転軸芯４３ａと平行となるように取り付けられ、上流側搬送ローラ４１においても同様である。
上記構成の圧着操作機構ＲＭは搬送制御装置８にて制御され、直接的には、駆動軸４６を回動駆動する揺動操作用モータ４８が搬送制御装置８にて制御される。
【００３０】
上流側搬送ローラ４１についての圧着操作機構ＲＭは、図１５に示す従来の構成と同様であり、図１乃至図３に示すように、圧着ローラ４１ｂを揺動アーム６０の一端側に回転自在に支持し、その揺動アーム６０を他端側の回動軸芯６０ａ周りに回動操作することで、圧着ローラ４１ｂを圧着状態と圧着解除状態とに切換える。
【００３１】
〔画像形成位置での印画紙２の搬送動作〕
次に、上記圧着操作機構ＲＭ等による前記画像形成位置での印画紙２の搬送動作について、図１乃至図２に基づいて、概略的に説明する。
カッタ１１にて所定のプリントサイズに切断された印画紙２が上流側から搬送ローラ９等によって搬送されて来ると、図１に示すように、上流側搬送ローラ４１を圧着状態として印画紙２を搬送駆動する。上流側搬送ローラ４１にて印画紙２の搬送が開始された時点では、下流側搬送ローラ４２は、圧着ローラ４２ｂが駆動ローラ４２ａから離間して圧着解除状態にある。この状態で、印画紙２の先端が前記画像形成位置（画像形成ヘッド１３からレーザビームＬＢが照射される位置）に到達した時点から、画像形成ヘッド１３による露光動作が開始され、印画紙２の乳剤面上にライン状の露光画像が形成されていく。
【００３２】
このように画像形成ヘッド１３による画像形成が進行しながら、印画紙２の先端が下流側の駆動ローラ４２ａの位置に到達すると、搬送制御装置８は、駆動軸４６を図１等における反時計回り方向に回動操作するように揺動操作用モータ４８を動作させる。これによって、図２に示すように、揺動アーム４５が揺動して下流側搬送ローラ４２が圧着解除状態から圧着状態に切り換わり、上流側搬送ローラ４１及び下流側搬送ローラ４２の双方で印画紙２を搬送する状態となる。このとき、駆動軸４６を回動操作する速度は、圧着ローラ４２ｂにおける駆動ローラ４２ａ側の回転表面の移動速度が印画紙２の搬送速度と略一致するように設定している。
【００３３】
印画紙２の搬送と画像の露光形成とが更に進行して印画紙２の後端が上流側搬送ローラ４１に近づいてくると、搬送制御装置８は、印画紙２の後端が上流側搬送ローラ４１の位置を通過する前に、図３に示すように、上流側搬送ローラ４１を圧着状態から圧着解除状態に切換える。
この後、印画紙２の後端が下流側搬送ローラ４２の位置を通過すると、駆動軸４６を図１等における時計回り方向に回動操作して下流側搬送ローラを圧着解除状態に切換えると共に、上流側搬送ローラ４１を圧着状態に切換え、図１に示す状態に復帰させて後続の印画紙２を待機する。
【００３４】
〔写真プリントの作製動作〕
次に、上記構成の写真プリントシステムＤＰによる写真プリントの作製動作を概略的に説明する。
操作者が写真フィルムの駒画像について写真プリントの作製を指示入力したときは、主制御装置５は、フィルムスキャナ３に対して写真フィルムの読み取りを指令し、フィルムスキャナ３からその写真フィルムの画像データを順次受取って、内蔵されているメモリに記録する。
【００３５】
主制御装置５は、上記のようにして入力された画像データに基づいて、その画像データによってプリントを作製した場合に得られるであろうシミュレート画像を図示を省略する画像処理回路にて演算して求め、それをモニタ５ａに表示する。
操作者は、このモニタ５ａ上のシミュレート画像を観察して、適正な画像が得られていなければ、操作卓５ｂから露光条件の修正入力操作を行う。
主制御装置５の画像処理回路は、入力された画像データとその修正入力とに従って予め設定された演算条件で赤色、緑色、青色毎の露光用画像データを生成する。
【００３６】
この露光用画像データは、露光・現像装置ＥＰの露光制御装置１４に送られ、印画紙２の先端が前記画像形成位置まで搬送されて来たことを検知すると、上述のようにして画像形成ヘッド１３が印画紙２にプリント画像の潜像を形成する。
画像形成ヘッド１３にて露光処理された印画紙２は、印画紙搬送系ＰＴにて現像処理装置ＰＰへ搬送されて、各現像処理タンクを順次通過することにより現像され、現像処理された印画紙２は、更に乾燥処理された後に排出口からコンベア１０上に排出され、ソータにてオーダー毎にまとめられる。
【００３７】
＜第２実施形態＞
次に本発明の第２実施形態について説明する。
本第２実施形態は、搬送ローラ４１，４２を圧着状態と圧着解除状態とに切換える圧着操作機構ＲＭの構成が異なるのみで、他の部分は上記第１実施形態と共通であり、画像形成ヘッド１３による画像形成位置での印画紙搬送系ＰＴの構成、及び、それの搬送動作についてのみ説明し、上記第１実施形態と対応する部材には同一の符号を付している。
【００３８】
〔画像形成位置での印画紙搬送系ＰＴの構成〕
本第２実施形態における圧着操作機構ＲＭは、画像形成ヘッド１３による画像形成位置付近を搬送横幅方向視で示す図７乃至図９、及び、搬送方向下流側から上流側を見た状態で部分切り欠き断面図として示す図１０に示すように、圧着ローラ４２ｂを玉軸受け４４を介して回動自在に支持する支持軸６３と、その支持軸６３をカップリング６４を介して回動駆動する回動操作用モータ６５とが備えられて構成されている。上流側搬送ローラ４１及び下流側搬送ローラ４２の付近には、上記第１実施形態と同様に、印画紙２を搬送案内するための複数の搬送ガイド５７が配置されているが、図１０では、図面を見易くするためにそれの記載を省略している。
【００３９】
圧着ローラ４２ｂを回動自在に支持する支持軸６３は、それの両端部６３ａが玉軸受け６６を介してフレーム５０に回動自在に取り付けられているのであるが、その端部６３ａは、圧着ローラ４２ｂが取り付けられている中央部６３ｂと比べて直径が小さい円柱軸として形成され、且つ、その端部６３ａでの中心軸芯（すなわち、支持軸６３の回動軸芯６７）と中央部６３ｂでの中心軸芯（すなわち、圧着ローラ４２ｂの回転軸芯６８）とが偏心した状態で形成されている。
従って、回動操作用モータ６５にて支持軸６３を回動駆動すると、支持軸６３の回動軸芯６７の周りを圧着ローラ４２ｂの回転軸芯６８が回動することになり、回動操作用モータ６５にて支持軸６３を回動駆動することにより圧着ローラ４２ｂ全体が回動軸芯６７周りを回動する。つまり、回動操作用モータ６５は、圧着ローラ４２ｂ全体を回動操作する圧着操作用回動駆動手段ＲＲとして機能する。
尚、支持軸６３と圧着ローラ４２ｂの内面との間には、上記第１実施形態と同様に、圧着ローラ４２ｂを、印画紙２を所定の搬送方向に搬送する回転方向（図７乃至図９における反時計回り方向）にのみ回転を許容するワンウェイクラッチ機構５１が介装されている。
【００４０】
支持軸６３の回動軸芯６７は、圧着状態にある圧着ローラ４２ｂの回転軸芯６８の位置（図８で示す位置）よりも、印画紙２の搬送経路から更に離間した位置に位置しており、前記圧着操作用回動駆動手段ＲＲにて圧着ローラ４２ｂ全体を回動軸芯６７周りに回動操作することで、圧着ローラ４２ｂを図７に示す圧着解除状態から図８に示す圧着状態に移行させるときには、圧着ローラ４２ｂの回転軸芯の移動軌跡が、印画紙２の移動方向成分（図７乃至図９における右向き方向成分）を有する状態で圧着ローラ４２ｂを駆動ローラ４２ａへ圧着操作することになる。
前記圧着状態及び前記圧着解除状態の夫々に対応する支持軸６３の回動角度は、印画紙２の厚みに応じて設定されている。
【００４１】
図１０では、下流側搬送ローラ４２についての圧着操作機構ＲＭを示しているが、本第２実施形態では、上記第１実施形態とは異なり、上流側搬送ローラ４１の圧着操作機構ＲＭを下流側搬送ローラ４２についてのものと同一構成として、圧着ローラ４１ｂを回動自在に支持する支持軸６９を図示を省略するモータにて回動操作することにより圧着状態と圧着解除状態とに切換えるように構成している。尚、図７乃至図９では、支持軸６３，６９の形状や回転軸芯の位置を概略的に示すために断面による図示を省略している。
駆動ローラ４１ａ，４２ａを回転駆動するための搬送用回転駆動手段ＲＤ等の構成は、上記第１実施形態と同一であるので説明を省略する。
上記構成の圧着操作機構ＲＭは搬送制御装置８にて制御され、直接的には、支持軸６３を回動駆動する回動操作用モータ６５が搬送制御装置８にて制御される。
【００４２】
〔画像形成位置での印画紙２の搬送動作〕
次に、上記圧着操作機構ＲＭ等による前記画像形成位置での印画紙２の搬送動作について、図７乃至図９に基づいて、概略的に説明する。
カッタ１１にて所定のプリントサイズに切断された印画紙２が上流側から搬送ローラ９等によって搬送されて来ると、図７に示すように、上流側搬送ローラ４１を圧着状態として印画紙２を搬送駆動する。上流側搬送ローラ４１にて印画紙２の搬送が開始された時点では、下流側搬送ローラ４２は、圧着ローラ４２ｂが駆動ローラ４２ａから離間して圧着解除状態にある。この状態で、印画紙２の先端が前記画像形成位置（画像形成ヘッド１３からレーザビームＬＢが照射される位置）に到達した時点から、画像形成ヘッド１３による露光動作が開始され、印画紙２の乳剤面上にライン状の露光画像が形成されていく。
【００４３】
このように画像形成ヘッド１３による画像形成が進行しながら、印画紙２の先端が下流側の駆動ローラ４２ａの位置に到達すると、搬送制御装置８は、下流側の圧着ローラ４２ｂの支持軸６３を図７等における反時計回り方向に回動操作するように回動操作用モータ６５を動作させる。これによって圧着ローラ４２ｂ全体が回動軸芯６７周りに回転し、図２に示すように、下流側搬送ローラ４２が圧着解除状態から圧着状態に切り換わって、上流側搬送ローラ４１及び下流側搬送ローラ４２の双方で印画紙２を搬送する状態となる。このとき、支持軸６３を回動操作する速度は、圧着ローラ４２ｂにおける駆動ローラ４２ａ側の回転表面の移動速度が印画紙２の搬送速度と略一致するように設定している。
【００４４】
印画紙２の搬送と画像の露光形成とが更に進行して印画紙２の後端が上流側搬送ローラ４１に近づいてくると、搬送制御装置８は、印画紙２の後端が上流側搬送ローラ４１の位置を通過する前に、上流側の圧着ローラ４１ｂの支持軸６９を図７等における反時計回り方向に回動駆動して、図９に示すように、上流側搬送ローラ４１を圧着状態から圧着解除状態に切換える。
この後、印画紙２の後端が下流側搬送ローラ４２の位置を通過すると、支持軸６３，６９を回動操作して、下流側搬送ローラを圧着解除状態に切換えると共に、上流側搬送ローラ４１を圧着状態に切換え、図７に示す状態に復帰させて後続の印画紙２を待機する。このときの、支持軸６３，６９に回転方向は、時計回り方向でも良いし、あるいは、反時計回り方向でも良い。
【００４５】
＜第３実施形態＞
次に、本発明の第３実施形態について説明する。
本第３実施形態は、搬送ローラ４１，４２を圧着状態と圧着解除状態とに切換える圧着操作機構ＲＭの構成が上記第１実施形態及び第２実施形態と異なり、それに伴って、搬送ローラ４１，４２よりも下流側の印画紙搬送系ＰＴの配置構成についても上記第１実施形態等と若干異なるが、基本的な装置構成は上記第１実施形態等と共通である。
以下、画像形成ヘッド１３による画像形成位置での印画紙搬送系ＰＴの構成、及び、それの搬送動作を主体に説明し、上記第１実施形態等と対応する部材には同一の符号を付して適宜説明を省略する。
【００４６】
〔画像形成位置での印画紙搬送系ＰＴの構成〕
本第３実施形態における下流側搬送ローラ４２についての圧着操作機構ＲＭは、画像形成ヘッド１３による画像形成位置付近を搬送横幅方向視で示す図１１及び図１２、並びに、下流側搬送ローラ４２付近を平面視で部分切り欠き断面図として示す図１３に示すように、圧着ローラ４２ｂを玉軸受け４４を介して回動自在に支持する支持軸７１と、その支持軸７１の姿勢を規制するための略コの字状に連結された支持枠７２と、支持軸７１の一端に係合して支持軸７１を揺動操作するための揺動操作アーム７３と、その揺動操作アーム７３の一端に回転軸を連結固定した揺動操作用モータ７４とが備えられて構成されている。
【００４７】
支持枠７２は、圧着ローラ４２ｂの支持軸７１の両端近くと係合する一対の支持アーム７２ａと、一対の支持アーム７２ａの端部同士を連結固定する連結アーム７２ｂを主要部として構成されている。
一対の支持アーム７２ａは、連結アーム７２ｂとの接続側と反対側の端部において、駆動ローラ４２ａの回転軸に玉軸受け７５を介して回動自在に取り付けられ、支持枠７２は駆動ローラ４２ａの回転軸芯周りに揺動する。
【００４８】
圧着ローラ４２ｂの支持軸７１の両端は、支持アーム７２ａの中程に形成された短スリット状の貫通孔７２ｃを貫通し、そのうちの一端は更に揺動操作アーム７３の遊端部に形成された短スリット状の貫通孔７３ａに嵌入している。支持アーム７２ａに形成されている貫通孔７２ｃは、圧着ローラ４２ｂの支持軸７１と略同幅で且つ支持アーム７２ａの長手方向に延びており、支持アーム７２ａの長手方向においてのみ圧着ローラ４２ｂの支持軸７１の移動を許容している。揺動操作アーム７３に形成された貫通孔７３ａについても同様であり、圧着ローラ４２ｂの支持軸７１を揺動操作アーム７３の長手方向においてのみ移動を許容するように保持している。
【００４９】
揺動操作用モータ７４の回転軸芯すなわち揺動操作アーム７３の揺動軸芯は、駆動ローラ４２ａの回転軸芯と略一致するように取り付けてあり、圧着ローラ４２ｂの支持軸７１は、駆動ローラ４２ａのローラ外周面の法線方向（図１３における上下方向）すなわち短スリット状の貫通孔７２ａの長手方向での自由度を保持しながら、揺動操作用モータ７４の回動操作によって駆動ローラ４２ａの回転軸芯周りに移動する。
【００５０】
圧着ローラ４２ｂの支持軸７１の位置を、駆動ローラ４２ａのローラ外周面の法線方向で位置規制するために、揺動操作用モータ７４の取り付け枠７４ａや搬送モータ５３等を取り付けたフレーム７６に、圧着ローラ４２ｂの支持軸７１を移動案内して圧着ローラ４２ｂの回転軸芯の移動軌跡を規制するガイド７７が形成され、更に、前記支持軸７１をガイド７７に押圧するためにコイルスプリング７８が一対に備えられている。
一対のコイルスプリング７８は、夫々、支持アーム７２ａの揺動遊端側に固定された固定支持部材７９と、支持アーム７２ａの側面に取り付けられた摺動支持部材８０との間に圧縮状態で介装されている。この摺動支持部材８０は、駆動ローラ４２ａのローラ外周面の法線方向に摺動自在に取り付けられ、摺動支持部材８０におけるコイルスプリング７８取り付け面と反対側の面が圧着ローラ４２ｂの支持軸７１に接当しており、コイルスプリング７８の伸張作用力によって支持軸７１をガイド７７へ押圧している。
従って、支持枠７２，揺動操作アーム７３及び揺動操作用モータ７４を主要部として、圧着ローラ４２ｂの回転軸芯をガイド７７に沿って移動させる移動操作手段ＡＭが構成されている。
尚、支持軸７１を直接的にガイド７７へ押圧するのではなく、支持軸７１に遊転式のカムフォロアを設けても良い。
【００５１】
ガイド７７は、図１１及び図１２に示すように、駆動ローラ４２ａの回転方向（図１１等における時計回り方向）に沿って圧着ローラ４２ｂの回転軸芯と駆動ローラ４２ａとの間隔を小さくして行く弧状のガイド部分を主体として構成されている。
揺動操作用モータ７４は、搬送制御装置８にて作動制御され、揺動操作用モータ７４が揺動操作アーム７３を揺動操作すると圧着ローラ４２ｂの支持軸７１が駆動ローラ４２ａの回転軸芯と平行姿勢を維持したままガイド７７上を移動し、そのガイド７７上の移動に伴って、圧着ローラ４２ｂは、駆動ローラ４２ａの周囲を移動しながら徐々に駆動ローラ４２ａに接近又は離間する。
【００５２】
図１１乃至図１３においては、上流側搬送ローラ４１及び下流側搬送ローラ４２等の配置を各図における上下方向を実際の装置配置の上下と対応させて図示しており、図１１（ａ）に示すように、圧着ローラ４２ｂの支持軸７１を支持する支持アーム７２ａが水平姿勢に近い揺動姿勢をとっているときに、下流側搬送ローラ４２は圧着解除状態にあり、図１２に示すように、支持アーム７２ａが鉛直方向に起立姿勢をとっているときに、下流側搬送ローラ４２は圧着状態にある。この圧着状態においては、支持軸７１がガイド７７からわずかに離間するようにガイド７７の形状が設定されている。
【００５３】
上流側搬送ローラ４１についての圧着操作機構ＲＭは、上記第１実施形態と同じく従来と同様の構成をとっており、又、上流側及び下流側の駆動ローラ４１ａ，４２ａを回転駆動する搬送モータ５３（搬送用回転駆動手段ＲＤ）は上記第１及び第２実施形態と同一の構成をとっており、何れについても説明を省略する。
【００５４】
〔画像形成位置での印画紙２の搬送動作〕
次に、上記圧着操作機構ＲＭ等による前記画像形成位置での印画紙２の搬送動作について、図図１１及び図１２に基づいて、概略的に説明する。
カッタ１１にて所定のプリントサイズに切断された印画紙２が上流側から搬送ローラ９等によって搬送されて来ると、図１１（ａ）に示すように、上流側搬送ローラ４１を圧着状態として印画紙２を搬送駆動する。上流側搬送ローラ４１にて印画紙２の搬送が開始された時点では、下流側搬送ローラ４２は、圧着ローラ４２ｂが駆動ローラ４２ａから離間して圧着解除状態にある。この状態で、印画紙２の先端が前記画像形成位置（画像形成ヘッド１３からレーザビームＬＢが照射される位置）に到達した時点から、画像形成ヘッド１３による露光動作が開始され、印画紙２の乳剤面上にライン状の露光画像が形成されていく。
【００５５】
このように画像形成ヘッド１３による画像形成が進行しながら、印画紙２の先端が下流側の駆動ローラ４２ａの位置に到達すると、搬送制御装置８は、揺動操作用モータ７４の回転動作を開始して、図１１（ｂ）に示すように、支持枠７２を図１１等における時計回り方向に揺動操作する。
この揺動操作に伴って、圧着ローラ４２ｂの支持軸７１がガイド７７上を移動していく。圧着ローラ４２ｂの支持軸７１の移動速度は、圧着ローラ４２ｂにおける駆動ローラ４２ａ側の外周面の移動速度が印画紙２の搬送速度と略一致するように設定しており、これによって、図１１（ｂ）に示すように、印画紙２の搬送移動に伴って、印画紙２の先端が駆動ローラ４２ａと圧着ローラ４２ｂとの間の隙間の保持される状態で、印画紙２の進行方向が、鉛直上方を向く状態から水平方向を向く状態へと徐々に変更されて行く。
【００５６】
搬送制御装置８は、図１２（ａ）に示すように、支持枠７２が起立姿勢となり、圧着ローラ４２ｂが圧着状態となった時点で揺動操作用モータ７４を停止させ、上流側搬送ローラ４１及び下流側搬送ローラ４２の双方で印画紙２を搬送する状態となる。
このように下流側搬送ローラ４２を圧着解除状態から圧着状態に切換えることで印画紙２の進路が略９０度変更されるので、本第３実施形態における写真プリントシステムＤＰの概略ブロック構成図を示す図１４のように、下流側搬送ローラ４２と現像処理装置ＰＰの入口との間の搬送経路において、印画紙２の進路を変更するための機構要素が不要となる。
【００５７】
印画紙２の搬送と画像の露光形成とが更に進行して印画紙２の後端が上流側搬送ローラ４１に近づいてくると、搬送制御装置８は、印画紙２の後端が上流側搬送ローラ４１の位置を通過する前に、上流側の圧着ローラ４１ｂの揺動アーム６０を図１２等における反時計回り方向に揺動駆動して、図１２（ｂ）に示すように、上流側搬送ローラ４１を圧着状態から圧着解除状態に切換える。
この後、印画紙２の後端が下流側搬送ローラ４２の位置を通過すると、支持枠７２を図１１等における反時計回り方向に揺動操作して、下流側搬送ローラ４２を圧着解除状態に切換えると共に、上流側搬送ローラ４１を圧着状態に切換え、図１１（ａ）に示す状態に復帰させて後続の印画紙２を待機する。
【００５８】
＜その他の実施形態＞
以下、本発明のその他の実施形態を列記する。
（１）上記第１実施形態では、上流側搬送ローラ４１を圧着状態と圧着解除状態とに切換えるための圧着操作機構ＲＭとして、従来のものと同一の構成をとる場合を例示しているが、上流側搬送ローラ４１についての圧着操作機構ＲＭも、下流側搬送ローラ４２についての圧着操作機構ＲＭと同様の構成を備えても良い。
この場合、上流側搬送ローラ４１についての圧着操作機構ＲＭは、下流側搬送ローラ４２についての圧着操作機構ＲＭと前記画像形成位置を挟んで対象配置とすれば良い。
（２）上記各実施形態では、画像形成ヘッド１３は、１本のレーザビームＬＢを繰り返し走査して、１画素列ずつの部分画像を繰り返し露光して１つの画像を完成させる構成とした場合を例示しているが、１回の部分画像の露光として複数画素列の部分画像を露光形成するように構成しても良い。
（３）上記各実施形態では、画像形成ヘッド１３として、レーザビームＬＢにて印画紙２上に画像を露光形成するレーザ露光式の画像形成ヘッド１３を例示しているが、ＰＬＺＴ光シャッタを配列したＰＬＺＴ方式等の各種の露光形式を用いても良いし、更に、インクジェットプリントヘッドを画像形成ヘッドとして用いる場合にも本発明を適用できる。
【図面の簡単な説明】
【００５９】
【図１】本発明の第１実施形態にかかる要部概略構成図
【図２】本発明の第１実施形態にかかる要部概略構成図
【図３】本発明の第１実施形態にかかる要部概略構成図
【図４】本発明の第１実施形態にかかる圧着操作機構の概略構成図
【図５】本発明の実施の形態にかかる画像形成ヘッドのブロック構成図
【図６】本発明の第１実施形態及び第２実施形態にかかる写真プリントシステムのブロック構成図
【図７】本発明の第２実施形態にかかる要部概略構成図
【図８】本発明の第２実施形態にかかる要部概略構成図
【図９】本発明の第２実施形態にかかる要部概略構成図
【図１０】本発明の第２実施形態にかかる圧着操作機構の概略構成図
【図１１】本発明の第３実施形態にかかる要部概略構成図
【図１２】本発明の第３実施形態にかかる要部概略構成図
【図１３】本発明の第３実施形態にかかる圧着操作機構の概略構成図
【図１４】本発明の第３実施形態にかかる写真プリントシステムのプロック構成図
【図１５】従来技術を示す図
【符号の説明】
【００６０】
ＡＭ        移動操作手段
ＩＭ        画像形成対象部材
ＲＤ        搬送用回転駆動手段
ＲＭ        圧着操作機構
ＲＲ        圧着操作用回動駆動手段
８          搬送制御装置
１３        画像形成ヘッド
４１，４２  搬送ローラ
４２        下流側搬送ローラ
４２ａ      駆動ローラ
４２ｂ      圧着ローラ
５１        ワンウェイクラッチ機構
７７        ガイド
【図１】
2005162375.tif 000003
【図２】
2005162375.tif 000004
【図３】
2005162375.tif 000005
【図４】
2005162375.tif 000006
【図５】
2005162375.tif 000007
【図６】
2005162375.tif 000008
【図７】
2005162375.tif 000009
【図８】
2005162375.tif 000010
【図９】
2005162375.tif 000011
【図１０】
2005162375.tif 000012
【図１１】
2005162375.tif 000013
【図１２】
2005162375.tif 000014
【図１３】
2005162375.tif 000015
【図１４】
2005162375.tif 000016
【図１５】
2005162375.tif 000017